(57)【要約】      （修正有）【課題】排水管端に装着されたねじ式掃除口に雄ねじ部を螺合させて装着することで、大掛かりな交換工事を必要とすることなく圧入蓋を使用可能な状態にできるようにする掃除口用アダプタを提供する。【解決手段】本体１１にフランジ部１２、雄ねじ部１３、段部１４、連結面１５、操作バー１７を備えた。フランジ部１２は本体１１の上端部に形成され、外周面に雄ねじ部１３を形成している。雄ねじ部１３は、ねじ式掃除口３の雌ねじ部３１に螺合する。外周面にパッキン２を外嵌した本体１１を、雌ねじ部３１に雄ねじ部１３が螺合するように、操作バー１７を摘んで回転させる。段部１４に圧入蓋４の天板４１が収納されるとともに、本体１１の内周面１１１に圧入蓋４の弾性体４２の上端部が密着する。【選択図】図１
0003170594.tif 000002
【実用新案登録請求の範囲】
【請求項１】
複数の呼び径のうちで最小の呼び径を除く第１の呼び径のねじ式掃除口に適用される掃除口用アダプタであって、
円筒状の本体と、
前記本体の外周面における上端部に形成され、前記ねじ式掃除口が有する雌ねじ部に前記雌ねじ部の上面側から螺合する雄ねじ部と、
前記本体の内周面における上端部に、複数の呼び径のうちで前記第１の呼び径より小径の第２の呼び径の圧入式掃除口用の圧入蓋が全周にわたって密着した状態で嵌入する形状に形成された嵌合部と、
前記本体における前記嵌合部よりも下側の位置で、前記本体の内周面よりも内側に延出する操作部と、
を備えた掃除口用アダプタ。
【請求項２】
前記本体の上端部にフランジ部を設け、
前記雄ねじ部は、前記フランジ部の外周面に形成し、
前記嵌合部は、前記フランジ部の上面に平行な平面を有する環状の段部と、前記段部の内周縁から前記本体の内周面に向かって内径が徐々に減少する連結面と、を含む請求項１に記載の掃除口用アダプタ。
【請求項３】
前記本体の外周面及びねじ式掃除口の内周面に全周にわたって密着するパッキンを備えた請求項１又は２に記載の掃除口用アダプタ。
【請求項４】
前記本体の内周面の下端部に目皿用段部を備えた請求項１乃至３の何れかに記載の掃除口用アダプタ。
【考案の詳細な説明】
【技術分野】
【０００１】
この考案は、排水管端に装着されたねじ式掃除口に圧入式掃除口用の圧入蓋を適用できるようにするための掃除口用アダプタに関する。
【０００２】
排水管端に連結されて床面に埋設される掃除口は、排水管からの臭気の立ち上がりを防止するために、上面に着脱自在に装着される蓋を備えている。蓋は、歩行等の障害とならないように、掃除口の上面に装着した状態で床面に面一にされる。
【０００３】
蓋を掃除口の上面に着脱自在に装着する方式として、ねじ式掃除口がある。ねじ式掃除口は、外周面に雄ねじ部を形成したねじ蓋を、掃除口の内周面の雌ねじ部に螺合させる。ねじ式掃除口におけるねじ蓋の着脱時には、ねじ蓋を掃除口の上面で回転させる必要がある。
【０００４】
ところが、床面に面一にすべきねじ蓋の上面には回転操作のための突起物を形成することができない。このため、ねじ蓋の上面に２つの凹部が形成されており、ねじ蓋の着脱時には２つの凹部のそれぞれに嵌入する２本の爪部を備えた専用工具を準備しなければならない。
【０００５】
そこで、従来より、薄肉円盤の底面側に外周面が掃除口の内周面に全周にわたって密着する弾性体を備えた圧入蓋を用いる圧入式掃除口が製品化されている（例えば、特許文献１参照。）。弾性体の外周面はテーパ状に成形されており、掃除口の上面に載置した状態で圧入蓋を押圧することで、弾性体の外周面の上端部が弾性変形によって掃除口の内周面に圧接する。圧入蓋の薄肉円盤の周囲の一部には切欠き部が形成されており、汎用工具であるドライバの先端部を切欠き部に挿入して掃除口から圧入蓋を取り外す。掃除口に対する着脱時に圧入蓋を回転させる必要がなく、専用工具が不要になる。
【先行技術文献】
【特許文献】
【０００６】
【特許文献１】実公平０８−７１０５号公報
【考案の概要】
【考案が解決しようとする課題】
【０００７】
しかし、圧入蓋は、弾性体の外周面を全周にわたって掃除口の内周面に密着させるものであり、内周面が平滑面で構成された圧入式掃除口には適用できるが、内周面に雌ねじ部が形成されたねじ式掃除口に適用することができない。このため、既設のねじ式掃除口に圧入蓋を適用することはできず、ねじ式掃除口を圧入式掃除口に交換するために大掛かりな工事を必要とする問題があった。
【０００８】
この考案の目的は、大掛かりな交換工事を必要とすることなく既設のねじ式掃除口に圧入蓋を適用可能な状態にすることができる掃除口用アダプタを提供することにある。
【課題を解決するための手段】
【０００９】
この考案に係る掃除口用アダプタは、複数の呼び径のうちで最小の呼び径を除く第１の呼び径のねじ式掃除口に適用され、本体、雄ねじ部、嵌合部及び操作部を備えている。本体は、円筒状を呈している。雄ねじ部は、本体の外周面における上端部に形成され、ねじ式掃除口が有する雌ねじ部に雌ねじ部の上面側から螺合する。嵌合部は、本体の内周面における上端部に、複数の呼び径のうちで第１の呼び径より小径の第２の呼び径の圧入式掃除口用の圧入蓋が全周にわたって密着した状態で嵌入する形状に形成されている。操作部は、本体における嵌合部よりも下側の位置で、内周面よりも内側に延出する。
【００１０】
この構成によれば、雌ねじ部に雄ねじ部を螺合させることで既設のねじ式掃除口の内側に、内部に圧入式掃除口用の圧入蓋が嵌入する嵌合部を備えた掃除口用アダプタが装着される。
【００１１】
この構成において、前記本体の上端部にフランジ部を設けるとともに、雄ねじ部をフランジ部の外周面に形成し、嵌合部をフランジ部の上面に平行な平面を有する環状の段部と段部の内周縁から本体の内周面に向かって内径が徐々に減少する連結面とを含むものとすることが好ましい。本体内に圧入蓋の弾性体が嵌入した状態で、弾性体よりも大径の天板部を段部に収納できる。
【００１２】
また、本体の外周面及びねじ式掃除口の内周面に全周にわたって密着するパッキンを備えることが好ましい。本体の外周面と既設のねじ式掃除口の内周面との間の気密状態を維持することができる。
【００１３】
本体の内周面の下端部に目皿用段部を備えることが好ましい。必要に応じて、本体内に目皿を配置することができる。
【００１４】
この考案によれば、ねじ式掃除口に雄ねじ部を螺合させて装着することで、大掛かりな交換工事を必要とすることなく圧入蓋を使用可能な状態にすることができる。
【図面の簡単な説明】
【００１５】
【図１】この考案の実施形態に係る掃除口用アダプタの使用状態を示す組み立て図である。
【図２】同掃除口用アダプタの断面図である。
【図３】同掃除口用アダプタの取付方法を示す断面図である。
【考案を実施するための形態】
【００１６】
以下に、この考案の実施形態に係る掃除口用アダプタについて、図面を参照しつつ説明する。
【００１７】
図１に示すように、掃除口用アダプタ１は、複数の呼び径のうちで最小の呼び径を除く呼び径（第１の呼び径）のねじ式掃除口３に装着され、第１の呼び径よりも小径の呼び径（第２の呼び径）の圧入蓋４を使用可能な状態にする。ねじ式掃除口３は、図示しない排水管の上端に装着される。掃除口用アダプタ１は、内部に目皿５を収納することができる。圧入蓋４は、天板４１の底面に弾性体４１が取り付けられており、天板４１の外周の一部に切欠き４３が形成されている。圧入蓋４は、押圧力によって掃除口用アダプタ１に装着され、切欠き４３へ挿入したドライバ等の汎用工具を用いて掃除口用アダプタ１から離脱させることができる。
【００１８】
図２にも示すように、掃除口用アダプタ１は、金属又は樹脂を素材とする本体１１に、フランジ部１２、雄ねじ部１３、段部１４、連結面１５、目皿用段部１６、操作バー１７を一体的に形成している。掃除口用アダプタ１は、パッキン２とともに、ねじ式掃除口３に装着される。
【００１９】
本体１１は、上端部にフランジ部１２を有する円筒形状を呈している。本体１１の内径は、第２の呼び径の掃除口の内径に等しい。雄ねじ部１３は、フランジ部１２の外周面に形成されている。雄ねじ部１３のねじ径及びピッチは、ねじ式掃除口３の雌ねじ部３１に等しい。フランジ部１２の高さは、雌ねじ部３１の有効長よりも短い。段部１４は、圧入蓋４の天板４１の厚さに等しい長さだけフランジ部１２の上面よりも下方に位置する環状の平面で構成されている。
【００２０】
フランジ部１２の外径は、第１の呼び径に適合する大きさにされている。また、本体１１の内径及びフランジ部１２の内径は、第１の呼び径より１つ小さい第２の呼び径に対応する大きさにされている。
【００２１】
連結面１５は、段部１４の内周縁から本体１１の内周面１１１に向かって内径が徐々に減少する断面が円弧又は直線の面で構成されている。段部１４及び連結面１５は、内周面１１１の上端部とともにこの考案の嵌合部を構成している。目皿用段部１６は、内周面１１１の下端部に全周にわたって形成されている。目皿用段部１６は、第２の呼び径の目皿５の外径に等しい。
【００２２】
この考案の操作部である操作バー１７は、本体１１の底面に本体１１の径方向の全域に配置されている。操作バー１７は、必ずしも径方向の全域に配置する必要はなく、中間部分を省略することもできる。また、この発明の操作部は、本体１１に対して回転方向の操作力を作用させることができる形状であればよく、棒状に限るものではない。
【００２３】
パッキン２は、一例としてゴム等の弾性材料で構成され、外径は第１の呼び径の掃除口の内径に等しく、内径は本体１１の外径に等しい。パッキン２の高さは、ねじ式掃除口３における上面３０から段部３２までの長さと本体１１におけるフランジ部１２の上面から底面までの長さとの差よりも長くされている。
【００２４】
なお、ねじ式掃除口３における段部３２と本体１１におけるフランジ部１２の底面までの長さが十分に小さい場合には、この間に接着剤を充填することでパッキン２を省略することもできる。
【００２５】
図３（Ａ）に示す既設のねじ式掃除口３に圧入蓋４を適用する際には、図３（Ｂ）に示すように、ねじ式掃除口３からねじ蓋６及びパッキン７を取外し、ねじ式掃除口３の呼び径に応じた掃除口用アダプタ１をねじ式掃除口３に装着する。
【００２６】
この時、図３（Ｃ）に示すように、掃除口用アダプタ１の本体１１の外周部にパッキン２を外嵌し、本体１１をパッキン２とともにねじ式掃除口３内に挿入する。この状態から操作バー１７を摘み、図３（Ｄ）に示すように、フランジ部１２の上面がねじ式掃除口３の上面に一致するまで、雄ねじ部１３が雌ねじ部３１に螺合する方向に掃除口用アダプタ１を回転させる。パッキン２はねじ式掃除口３における段部３２と本体１１におけるフランジ部１２の底面とによって上下方向に圧縮され、半径方向に拡大する結果、ねじ式掃除口３の内周面と本体１１の外周面との間を気密状態に維持する。
【００２７】
図３（Ｄ）に示す状態に掃除口用アダプタ１をねじ式掃除口３に装着することで、図３（Ｅ）に示すように、ねじ式掃除口３の呼び径よりも１つ小さい呼び径の圧入蓋４を掃除口用アダプタ１に装着することができる。この時、必要に応じて目皿用段部１６内に目皿５を収納することができる。
【００２８】
圧入蓋４の天板４１は、フランジ部１２内の段部１４上に収納され、上面がねじ式掃除口３の上面に一致し、床面１００と面一になる。圧入蓋４の弾性体４２の上端部は、段部１４から本体１１の内部に向かって下方に移動する際に、連結面１５で徐々に圧縮されて弾性変形を生じ、本体１１の内周面１１１に圧接する。
【００２９】
以上のようにして、床面からねじ式掃除口３を取り外すことなく、圧入蓋４を使用可能にすることができる。掃除口の最小の呼び径を除く複数の呼び径に対応したサイズの掃除口用アダプタ１を準備することで、複数種の呼び径のねじ式掃除口３に圧入蓋４を使用可能にすることができる。
【００３０】
この場合に、全てのサイズの掃除口用アダプタ１において掃除口の呼び径よりも１つ小さい呼び径の圧入蓋４に対応した内径とする必要はない。例えば、最大の呼び径のねじ式掃除口３に用いる掃除口用アダプタ１の内径を２つ以上小さい呼び径の圧入蓋４に対応したものとすることもできる。
【００３１】
上述の実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【００３２】
１−掃除口用アダプタ
２−パッキン
３−ねじ式掃除口
４−圧入蓋
１１−本体
１２−フランジ部
１３−雄ねじ部
１４−段部
１５−連結面
１６−目皿用段部
１７−操作バー
３１−雌ねじ部
【図１】
0003170594.tif 000003
【図２】
0003170594.tif 000004
【図３】
0003170594.tif 000005